(57)【特許請求の範囲】
【請求項１】
電流が供給されることにより発光する発光管と、
前記発光管の発光状態を表す信号を積分する積分回路と、
前記発光管に流れる電流をスイッチングする切替素子を通電状態または非通電状態に維持するように制御するラッチ回路と、
基準値が入力されかつ該基準値と前記積分信号に基づいて、前記ラッチ回路を制御するＭＯＳ型ＦＥＴで構成した判断回路と、
を備えたストロボ装置であって、
前記ラッチ回路は、ＰＮＰ型トランジスタ及びＮＰＮ型トランジスタから構成され、前記ＰＮＰ型トランジスタのコレクタを前記ＮＰＮ型トランジスタのベースに接続し、前記ＰＮＰ型トランジスタのベースを前記ＮＰＮ型トランジスタのコレクタに接続し、かつ前記ＰＮＰ型トランジスタのエミッタとベースとを抵抗を介して接続し、前記ＰＮＰ型トランジスタのエミッタからベースの内部通過電流による電流経路を構成した後に、前記エミッタから前記抵抗を介して前記ベースへ至る電流経路に移行することにより、前記切替素子を通電状態に維持すると共に、前記判断回路の前記ＭＯＳ型ＦＥＴがオンされることにより、前記切換素子を非通電状態に維持することを特徴とするストロボ装置。
【請求項２】
前記積分信号が前記ＭＯＳ型ＦＥＴのゲートに入力されるように前記積分回路と前記ＭＯＳ型ＦＥＴを接続したことを特徴とする請求項１に記載のストロボ装置。
【請求項３】
前記判断回路は、前記基準値を調整するために、前記ＭＯＳ型ＦＥＴのソース電位を調整する調整部を含むことを特徴とする請求項１または請求項２に記載のストロボ装置。
【請求項４】
前記ラッチ回路に電源供給する供給回路をさらに備え、前記供給回路は、トランジスタを含み、前記ラッチ回路が前記切替素子を非通電状態に維持するより以前に、前記トランジスタがオフすることを特徴とする請求項１乃至請求項３の何れか１項に記載のストロボ装置。
【発明の詳細な説明】
【０００１】
【発明の属する技術分野】
本発明は、ストロボ装置にかかり、特に、カメラによる撮影時等に用いるストロボ装置に関する。
【０００２】
【従来の技術】
被写体を撮影するカメラは、昼夜を問わず撮影を可能とするため、ストロボ装置を取り付け可能なものが多い。近年の技術発展に伴って最近では、電子的なカメラや簡易カメラに、ストロボ装置を備えているものも数多く市販されている。このストロボ装置は、被写体を撮影するとき、一定の明るさを得るために、所定の発光量で光を照射しなければならない。このため、電源を効率的に利用している。
【０００３】
図８には、ストロボ装置の発光部分周辺の回路例を示した。ストロボ発光のためのバルブＸｅの一端はダイオードＤ１及び抵抗Ｒ１９、そしてトランスＴ２を有する電源部を介してプラス電源側（Ｂａｔｔ＋）接続され、他端はトランジスタ（ＩＧＢＴ）Ｑ７を介してマイナス電源側（Ｂａｔｔ−）に接続されている。また、バルブＸｅはトランスＴ１及びコンデンサＣ１０を介してマイナス電源側（Ｂａｔｔ−）に接続されている。また、バルブＸｅの一端側で、ダイオードＤ１と抵抗Ｒ１９の間はマイナス電源側（Ｂａｔｔ−）に並列接続されたコンデンサＣ４，Ｃ５のプラス側が接続されている。
【０００４】
この回路では、端子ＦＣＴにパルス信号を印加することで、電源部のトランジスタＱ１１がパルス駆動して、トランスＴ２が作動し、バルブＸｅを発光させる電力を貯留するコンデンサＣ４，Ｃ５が充電される。充電の完了により、コンデンサＣ４，Ｃ５に蓄えられた充電電圧は抵抗Ｒ２１を介して接続されたコンデンサＣ８に蓄電される。このコンデンサＣ８に蓄電された電圧はトランジスタＱ７（ＩＧＢＴ）のゲート印加電圧に用いられる。
【０００５】
発光は、端子ＦＴをハイレベルに設定することで、トランジスタＱ２をオンして、ダイオードＤ２を介して接続されたトランジスタＱ１２をオンする。これにより、コンデンサＣ８に蓄えられていた電荷はトランジスタＱ１２を通過し、並列接続されたコンデンサＣ１１及び抵抗Ｒ１７、そして抵抗Ｒ７を順に経た後にトランジスタＱ７（ＩＧＢＴ）のゲートへと至り、ゲート側にある入力容量が満たされるとオンして発光に至る。
【０００６】
ここで、トランジスタＱ２にはダイオードＤ２及び抵抗Ｒ２４を介してトランジスタＱ１が接続されており、トランジスタＱ２がオンすることによって、トランジスタＱ１がオンして、測光のためのフォトトランジスタＰＴ１へ電力が供給される。フォトトランジスタＰＴ１の測光側は、抵抗Ｒ２５を介してコンパレータＵ１のマイナス側に接続されている。また、フォトトランジスタＰＴ１の測光側は、積分回路を構成する抵抗ＲＴ１及びコンデンサＣＴ１を介してマイナス電源側（Ｂａｔｔ−）に接続されている。
【０００７】
コンパレータＵ１のプラス側は、被写体からの光（調光量）の基準光量を設定するための設定回路に接続されている。この設定回路は、端子ＶＳＴに、抵抗Ｒ１４、半固定抵抗ＶＲ１及び抵抗Ｒ１５が直列に接続されてマイナス電源側（Ｂａｔｔ−）に至る構成とされており、半固定抵抗ＶＲ１の調整による分圧の値が基準となる。このため、端子ＶＳＴをハイレベルに設定することで、コンパレータＵ１のプラス側に基準電圧が入力される。
【０００８】
バルブＸｅが発光して被写体からの光量により、積分回路（抵抗ＲＴ１及びコンデンサＣＴ１）が作用してコンパレータＵ１のマイナス側の電位が徐々に上昇し、十分な光量すなわち、コンパレータＵ１のマイナス側の電位がプラス側の電位（基準光量）以上になると、コンパレータＵ１がハイレベル信号を出力する。これにより、コンパレータＵ１の出力側に、抵抗Ｒ１３を介して接続されたトランジスタＱ９がオンして、プラス電源側（Ｂａｔｔ＋）の電力がトランジスタＱ９を通過してトランジスタＱ１３のゲート側へ供給されてトランジスタＱ１３がオンされる。これによって、抵抗Ｒ１７と抵抗Ｒ７の間がマイナス電源側（Ｂａｔｔ−）となり、トランジスタＱ７（ＩＧＢＴ）のゲートへの印加電力が消失し、トランジスタＱ７（ＩＧＢＴ）はオフされる。これによって、バルブＸｅの発光が終了する。
【０００９】
従って、端子ＦＴの信号でトランジスタＱ２，Ｑ１２が作動し、コンデンサＣ８の電荷がコンデンサＣ１１、及び抵抗Ｒ１７とＲ７を介して供給されることでトランジスタＱ７（ＩＧＢＴ）が作動されて、バルブＸｅが発光する。
【００１０】
発光が開始されると、被写体からの光量が基準光量に至るまですなわち、抵抗Ｒ１４，半固定抵抗ＶＲ１，及び抵抗Ｒ１５による分圧による電荷に至るまで、コンパレータＵ１はハイレベルの出力を維持し、トランジスタＱ９，Ｑ１３が作動しない。積分回路における入力容量が満たされると、被写体からの光量が基準光量に至ることとなり、コンパレータＵ１がローレベル信号を出力し、トランジスタＱ９，Ｑ１３が作動する。これによって、バルブＸｅが消灯される。このように、コンパレータＵ１を用いて消灯時期を判断している。
【００１１】
【発明が解決しようとする課題】
しかしながら、カメラ装置の小型化や低価格化が叫ばれており、周辺装置であるストロボ装置も例外ではない。上記のように、バルブＸｅのオンオフさせるための一部の機能として判断回路すなわちコンパレータを用いているが、コンパレータは高コストであり、回路のコスト高を招いていた。
【００１２】
本発明は、上記事実を考慮して、単純構成でかつ操作が容易な回路構成のストロボ装置を得ることが目的である。
【００１３】
【課題を解決するための手段】
上記目的を達成するために請求項１に記載の発明のストロボ装置は、電流が供給されることにより発光する発光管と、前記発光管の発光状態を表す信号を積分する積分回路と、前記発光管に流れる電流をスイッチングする切替素子を通電状態または非通電状態に維持するように制御するラッチ回路と、基準値が入力されかつ該基準値と前記積分信号に基づいて、前記ラッチ回路を制御するＭＯＳ型ＦＥＴで構成した判断回路と、を備えたストロボ装置であって、前記ラッチ回路は、ＰＮＰ型トランジスタ及びＮＰＮ型トランジスタから構成され、前記ＰＮＰ型トランジスタのコレクタを前記ＮＰＮ型トランジスタのベースに接続し、前記ＰＮＰ型トランジスタのベースを前記ＮＰＮ型トランジスタのコレクタに接続し、かつ前記ＰＮＰ型トランジスタのエミッタとベースとを抵抗を介して接続し、前記ＰＮＰ型トランジスタのエミッタからベースの内部通過電流による電流経路を構成した後に、前記エミッタから前記抵抗を介して前記ベースへ至る電流経路に移行することにより、前記切替素子を通電状態に維持すると共に、前記判断回路の前記ＭＯＳ型ＦＥＴがオンされることにより、前記切換素子を非通電状態に維持することを特徴としている。
【００１４】
ストロボ装置は、発光管の発光で被写体が照明される。積分回路は、発光管の発光状態を表す信号（例えば、発光量を測光した結果の信号）を積分する。発光管は、トランジスタなどの切替素子により流れる電流がスイッチングされ、この切替素子はラッチ回路によって、通電状態または非通電状態に維持するように制御される。このラッチ回路は、ＭＯＳ型ＦＥＴで構成された判断回路により制御される。判断回路は、基準値が入力されかつ基準値と積分信号に基づいて、ラッチ回路を制御する。例えば、積分信号が基準値を超えたときに、切替素子が通電状態から非通電状態に移行するように、ラッチ回路を制御する。また、積分信号が基準値以内のとき、切替素子が通電状態を維持するように、ラッチ回路を制御する。これによって、コンパレータなどのＩＣを用いることなく、ＭＯＳ型ＦＥＴによる判断という単純な構成で実現することができる。
ラッチ回路を、ＰＮＰ型トランジスタ及びＮＰＮ型トランジスタから構成することにより、より単純な構成によるラッチ回路を構成することができる。
前記ＰＮＰ型トランジスタは、その動作からエミッタからベースの内部通過電流による電流経路を構成できる。この電流経路は、ベースの電位上昇と共に解消されるが、エミッタから抵抗を介してベースへ至る電流経路を構成することで、その電流経路に移行することができ、切替素子を通電状態に維持することが可能となる。
【００１５】
請求項２に記載の発明は、請求項１に記載のストロボ装置において、前記積分信号が前記ＭＯＳ型ＦＥＴのゲートに入力されるように前記積分回路と前記ＭＯＳ型ＦＥＴを接続したことを特徴とする。
【００１６】
すなわち、前記判断回路の具体的な構成では、積分信号をＭＯＳ型ＦＥＴのゲートに入力することで、基準値の比較を行うことができる。これにより、積分信号が基準値を超えたときにＭＯＳ型ＦＥＴが作動し、ラッチ回路を制御できる。
【００１７】
請求項３に記載の発明は、請求項１または請求項２に記載のストロボ装置において、前記判断回路は、前記基準値を調整するために、前記ＭＯＳ型ＦＥＴのソース電位を調整する調整部を含むことを特徴とする。
【００１８】
積分信号は、発光量の検出に相当する。したがって、積分信号を判断するしきい値としての基準値を調整することで、発光量を調整することができる。このため、ＭＯＳ型ＦＥＴのソース電位を調整する調整部を備えれば、基準値を調整でき、発光管による発光量を調整することが可能となる。
【００１９】
なお、前記調整部は、固定抵抗と半固定抵抗とが直列に接続され、該直列接続の分圧抵抗により前記ＭＯＳ型ＦＥＴのソース電位を調整することができる。
【００２４】
請求項４に記載の発明は、請求項１〜請求項３の何れか１項に記載のストロボ装置において、前記ラッチ回路に電源供給する供給回路をさらに備え、前記供給回路は、トランジスタを含み、前記ラッチ回路が前記切替素子を非通電状態に維持するより以前に、前記トランジスタがオフすることを特徴とする。
【００２５】
前記ラッチ回路には供給回路から電源供給される。供給回路は、トランジスタを含み、ラッチ回路が切替素子を非通電状態に維持するより以前に、前記トランジスタがオフするように構成する。これによって、ラッチ回路により制御する切替素子の状態を確実にコントロールすることができる。
【００２６】
この場合、前記ラッチ回路のトランジスタにおける電圧より前記供給回路のトランジスタにおける電圧が大きくすることが好ましい。
【００２７】
【発明の実施の形態】
以下、図面を参照して本発明の実施の形態の一例を詳細に説明する。本実施の形態はカメラに内蔵されたストロボ装置に本発明を適用したものである。
【００２８】
図２及び図３に示すように、カメラ６０は、撮影レンズ６４を備えたボデー６２を有している。このボデー６２には、撮影指示のためのレリーズボタン６６、被写体を照明するためのストロボ発光部６８、周囲の明るさ等を検出するための測光部７１、被写体を参照するためのファインダ７４、及び撮影光量を調整するための絞り調節部７６を備えている。この絞り調節部７６の周囲には、ＬＥＤ４４が設けられている。また、測光部７１は、ストロボ光を検出するための検出部７０と、周囲の明るさを検出するための検出部７２を備えている。なお、ボデー６２には、ストロボ装置１０（図５）を含む各種電子回路が内蔵されている。
【００２９】
図４に概念構成を示すように、絞り調節部７６は、カメラ構造を簡略化するために、手動による絞り調整を可能とするための機構である。絞り調節部７６は、位置指標８０Ａを有する円形プレート８０を備えており、軸８２Ａを有するピニオンギヤ８２が取り付けられている。これらは、軸８２Ａの中心を軸として回転可能（図４の矢印Ｘ方向）にボデー６２へ取り付けられている。ピニオンギヤ８２の近傍にはプレート８４が設けられており、ピニオンギヤ８２にプレート８４のラック部８４Ａが噛み合わされている。このプレート８４は一方向（図４の矢印Ｙ方向）への移動が可能に構成されている。
【００３０】
プレート８４は突起部８４Ｂを備えており、その突起部８４Ｂは絞りプレート８６の長穴８６Ｂに挿入されている。絞りプレート８６は一方の端部付近に設けられた穿孔８６Ａによりボデー６２に軸支される。これにより、絞りプレート８６は穿孔８６Ａを中心として回転可能（図４の矢印Ｚ方向）にボデー６２へ取り付けられる。他方の端部付近には、複数（本実施の形態では４つ）の大きさが異なる穿孔８６Ｃ、８６Ｄ、８６Ｅ、８６Ｆが設けられている。これらの穿孔８６Ｃ〜８６Ｆは、穿孔８６Ａから被写体からの光線の光軸８８までを半径とする円周上に設けられている。
【００３１】
以上の構成により、円形プレート８０を回転すると、ピニオンギヤ８２が回転（図４の矢印Ｘ方向）し、噛み合わされたラック部８４Ａに作用してプレート８４が一方向（図４の矢印Ｙ方向）へ移動する。この移動により、突起部８４Ｂが絞りプレート８６の長穴８６Ｂを移動させ、絞りプレート８６が穿孔８６Ａを中心として回転（図４の矢印Ｚ方向）される。これにより、大きさが異なる穿孔８６Ｃ〜８６Ｆの何れかが、被写体からの光線の光軸８８上に移動される。
【００３２】
この絞り調節部７６により、適切な絞りを操作させるため、測光部７１の測光結果に対応する穿孔８６Ｃ〜８６Ｆの何れに調整可能なように、絞り調節部７６の周囲に設けられたＬＥＤ４４を点灯させることができる。そして、円形プレート８０の位置指標８０Ａを対応（円形プレート８０を回転）させることで適切な絞りの位置あわせが可能となる。
【００３３】
なお、図示は省略したが、本実施の形態のカメラ６０は、撮影レンズ６４を前後させることで、カメラ本体の電源が投入される機能を備えている。また、カメラ６０は、当該カメラで各種指示入力をするための入力装置や撮影結果等を表示するために表示装置を設けることが可能である。また、写真フィルムの装填及び離脱のための機構等の各種機構が設けられているが、汎用的かつ一般的な構成であるため、詳細な説明を省略する。写真フィルムとは、被写体を撮影後、現像処理されて、ネガ画像またはポジ画像が可視化されたフィルムをいう。
【００３４】
図５には、カメラに内蔵された電装系について、主にストロボ発光に関係する部分をまとめストロボ装置１０としてブロック図で示した。ストロボ装置１０は、カメラ６０の各種処理を行うためのＭＰＵ（中央処理装置）１２を備えており、ＢＣユニット１４、及びマイコン周辺ユニット１６に接続されている。ＢＣユニット１４はバッテリチェックのための電気回路部であり、マイコン周辺ユニット１６はＭＰＵ１２の動作に必要な電気回路部である。ＭＰＵ１２には、動作指示等のためのメインスイッチ１８，レリーズスイッチ２０，シンクロスイッチ２２，及び展開スイッチ２４、そして、測光後の絞り調整指示のためのＬＥＤ４４，動作表示のためのＬＥＤ４６が接続されている。
【００３５】
また、ＭＰＵ１２には、メインコンデンサ３８に接続された充電ユニット２６，写真フィルムを給送するための給送モータ４０に接続されたモータドライバ２８，発光管４２に接続されかつフォトトランジスタ３２を含んだ発光ユニット３０，Ｃｄｓ３６を含んだ測光ユニット３４，が接続されている。
【００３６】
図１には、ストロボ装置１０の詳細回路図を示した。ストロボ装置１０は、バッテリＶＴを備えており、プラス側が電源端子ＶＢに接続され、マイナス側がグランド端子ＧＮＤに接続される。電源端子ＶＢは、ヒューズＲ１１６を介して３つの端子に接続される、この各端子は電源ＶＢ１，ＶＢ２，ＶＢ３として機能する。グランド端子ＧＮＤは、主に信号の接地側として使用されるグランドＳＧＮＤ、主に電力の接地側として使用されるグランドＰＧＮＤに接続される。これらのグランドは、アイソレーションすることが好ましい。
【００３７】
モータドライバ２８は、写真フィルム給送のための給送モータ４０に接続されており、コンデンサＣ１１１を備えている。コンデンサＣ１１１は、一端が電源ＶＢ３に接続され、他端がグランドＳＧＮＤに接続されている。コンデンサＣ１１１の電源ＶＢ３側は、ＰＮＰ型のトランジスタＱ１１２のエミッタに接続されている。トランジスタＱ１１２のベースは、抵抗Ｒ１１１を介してトランジスタＱ１１２のエミッタに接続されかつ抵抗Ｒ１１２を介して電解効果型のトランジスタ（ＦＥＴ）Ｑ１１１のドレインに接続されている。トランジスタＱ１１１のソースはグランドＰＧＮＤに接続され、ゲートは抵抗Ｒ１１１を介してグランドＰＧＮＤに接続されている。
【００３８】
また、トランジスタＱ１１２のコレクタは、電解効果型のトランジスタＱ１１５のドレインに接続されている。トランジスタＱ１１５のゲートはトランジスタＱ１１２のドレインと抵抗Ｒ１１２の間に接続され、ソースはグランドＰＧＮＤに接続されている。また、トランジスタＱ１１２のコレクタは、コンデンサＣ１１４を介してグランドＰＧＮＤに接続されかつ、給送モータ４０を介してグランドＰＧＮＤに接続されている。
【００３９】
マイコン周辺ユニット１６は、レギュレータＩＣ１１２を備えている。レギュレータＩＣ１１２は、入力側電源端子に電源ＶＢ２が接続され、接地側端子にグランドＳＧＮＤが接続されている。また、レギュレータＩＣ１１２の出力側は、電源ＶＣとして機能する。電源ＶＣは、コンデンサＣ１１３を介してグランドＳＧＮＤに接続され、ダイオードＤ１１３と抵抗Ｒ１１８とコンデンサＣ１１２とを介してグランドＳＧＮＤに接続されている。この抵抗Ｒ１１８とコンデンサＣ１１２との間は抵抗Ｒ１１０を介してグランドＳＧＮＤに接続されている。また、電源ＶＣは、抵抗Ｒ１１７及びコンデンサＣ１１５を介してグランドＳＧＮＤに接続されている。
【００４０】
ＭＰＵ１２は、電源供給のための端子ＶＣＣに電源ＶＣが接続されている。また、接地のための端子ＶＳＳ，ＣＮＶＳＳはグランドＳＧＮＤに接続されている。端子ＸＩＮは、抵抗Ｒ１１７とコンデンサＣ１１５の間に接続され、端子ＲＥＳＥＴは、抵抗Ｒ１１８とコンデンサＣ１１２の間に接続されている。また、端子ＭＯＴＯＲは、トランジスタＱ１１１のゲートに接続されている。また、ＭＰＵ１２の端子ＧＩＥＤは、動作表示のためのＬＥＤ４６を構成する抵抗Ｒ１１３及び発光ダイオードＤ１１２を介して電源ＶＣに接続されている。
【００４１】
また、ＭＰＵ１２の端子ＢＣ＿ＡＤ，ＢＣ＿ＤＭＹは、ＢＣユニット１４に接続されている。ＢＣユニット１４は、ＰＮＰ型のトランジスタＱ１１４を備えており、トランジスタＱ１１４のエミッタは抵抗Ｒ１１９を介してベースに接続されかつ電源ＶＢ３に接続され、ベースは抵抗Ｒ１１１０を介してＭＰＵ１２の端子ＢＣ＿ＤＭＹに接続されている。トランジスタＱ１１４のコレクタは、抵抗Ｒ１１５，Ｒ１１４を介してグランドＰＧＮＤに接続されている。この抵抗Ｒ１１５，Ｒ１１４の間は、ＭＰＵ１２の端子ＢＣ＿ＡＤに接続されている。
【００４２】
また、ＭＰＵ１２の端子ＳＭは、メインスイッチ１８を介してグランドＳＧＮＤに接続されている。同様に、端子ＳＰはレリーズスイッチ２０を介して、端子ＳＳＹはシンクロスイッチ２２を介して、端子ＳＣＡＭは展開スイッチ２４を介してグランドＳＧＮＤに接続されている。
【００４３】
メインスイッチ１８の端子ＳＭ側は、測光ユニット３４に接続されている。測光ユニット３４は、Ｃｄｓ３６を備えており、Ｃｄｓ３６の一端がメインスイッチ１８の端子ＳＭ側に接続され、他端が抵抗Ｒ１４５と半固定抵抗Ｒ１４４を介して電源ＶＣが接続されている。このＣｄｓ３６の他端は、ＭＰＵ１２の端子ＩＮＤ＿ＡＤに接続されかつコンデンサＣ１４１を介してグランドＳＧＮＤに接続されている。
【００４４】
ＭＰＵ１２の端子ＩＮＤ＿ＩＥＤ１，ＩＮＤ＿ＩＥＤ２，ＩＮＤ＿ＩＥＤ３は、測光後の絞り調整指示のためのＬＥＤ４４に接続されている。ＬＥＤ４４は、発光ダイオードＤ１４１，Ｄ１４２，Ｄ１４３を備えており、ＭＰＵ１２の端子ＩＮＤ＿ＩＥＤ１が抵抗Ｒ１４１と発光ダイオードＤ１４１を介して電源ＶＣに接続されている。ＭＰＵ１２の端子ＩＮＤ＿ＩＥＤ２は、抵抗Ｒ１４２と発光ダイオードＤ１４２を介して電源ＶＢ３に接続され，ＩＮＤ＿ＩＥＤ３は、抵抗Ｒ１４３と発光ダイオードＤ１４３を介して電源ＶＢ３に接続されている。
【００４５】
また、ＭＰＵ１２の端子ＶＭＣ＿ＡＤ、ＥＣＴ、ＣＨＧ＿ＯＮは、充電ユニット２６に接続されている。充電ユニット２６は、トランスＴ１２１を備えており、トランスＴ１２１の１次側巻線の一端は電源ＶＢ１に接続され、他端は電解効果型のトランジスタＱ１２１のドレインに接続されている。トランジスタＱ１２１のソースはグランドＰＧＮＤに接続され、ゲートは抵抗Ｒ１２２を介してグランドＰＧＮＤに接続されている。また、トランスＴ１２１の２次側巻線の一端はダイオードＤ１２１を介してメインコンデンサ３８に接続され、他端はグランドＰＧＮＤに接続されている。
【００４６】
ダイオードＤ１２１のカソード側は、抵抗Ｒ１２３，半固定抵抗Ｒ１２４，抵抗Ｒ１２６を介してグランドＰＧＮＤに接続されている。半固定抵抗Ｒ１２４の分割端はＭＰＵ１２の端子ＶＭＣ＿ＡＤに接続されると共に、コンデンサＣ１２１を介してグランドＰＧＮＤに接続されている。ダイオードＤ１２１のアノード側（トランスＴ１２１の２次巻線の一端）は、トランジスタユニットＱ１２３に接続されている。トランジスタユニットＱ１２３は、ベース・エミッタ間が抵抗で接続されかつベースに抵抗が直列に接続されたＰＮＰトランジスタを含んで構成され、エミッタ側が電源ＶＣに、ベース側がＭＰＵ１２の端子ＣＨＧ＿ＯＮに接続されている。コレクタ側は、抵抗Ｒ１２５を介して、ＭＰＵ１２の端子ＥＣＴに接続されている。
【００４７】
ＭＰＵ１２の端子ＦＴ、ＡＳＴ＿ＯＮ、ＡＳＴ＿ＯＦＦは、発光ユニット３０に接続されている。発光ユニット３０は、発光管４２（ＰＵ１３１）に接続されたトランスＴ１３１を備えている。トランスＴ１３１の一次側巻線及び２次側巻線は、発光管４２を介して、ダイオードＤ１２１のカソード側に接続されている。このトランスＴ１３１の一次側巻線は、一端がダイオードＤ１２１のカソード側に接続された抵抗Ｒ１３５とコンデンサＣ１３２とが直列に接続されてグランドＳＧＮＤへ至る構成の、抵抗Ｒ１３５とコンデンサＣ１３２との間にも接続されている。トランスＴ１３１の共通側は、ＮＰＮ側のトランジスタＱ１３５（ＩＧＢＴ）のエミッタに接続されている。トランジスタＱ１３５のエミッタは、グランドＰＧＮＤに接続され、ベースは、抵抗Ｒ１３７を介してグランドＰＧＮＤに接続されている。
【００４８】
ダイオードＤ１２１のカソード側は、抵抗Ｒ１３１０，Ｒ１３４を介してグランドＰＧＮＤに接続されている。抵抗Ｒ１３１０，Ｒ１３４の間には、他端がグランドＰＧＮＤに接続されたコンデンサＣ１３１の一端が接続され、かつトランジスタユニットＱ１３１が接続されている。トランジスタユニットＱ１３１は、ベース・エミッタ間が抵抗ＲＡで接続されかつベースに抵抗ＲＢが直列に接続されたＰＮＰトランジスタを含んで構成され、エミッタ側が抵抗Ｒ１３１０，Ｒ１３４の間に接続され、ベース側がＭＰＵ１２の端子ＦＴに接続されている。トランジスタＱ１３１のコレクタ側は、ＰＮＰ型のトランジスタＱ１３２のエミッタに接続されかつ抵抗Ｒ１３２，Ｒ１３９を介してトランジスタＱ１３２のベースに接続されている。トランジスタＱ１３２のコレクタは抵抗Ｒ１３１を介してＮＰＮ型のトランジスタＱ１３３のベースに接続されている。このトランジスタＱ１３３のベースは、ＭＰＵ１２の端子ＡＳＴ＿ＯＦＦにも接続されている。
【００４９】
トランジスタＱ１３３のエミッタはグランドＳＧＮＤに接続され、コレクタは、抵抗Ｒ１３２，Ｒ１３９の間に接続されている。また、抵抗Ｒ１３２，Ｒ１３９の間は、電界果型のトランジスタＱ１３４のドレインに接続されかつ、抵抗Ｒ１３６を介してトランジスタＱ１３５のベースに接続されている。トランジスタＱ１３４のソースは、半固定抵抗Ｒ１３３を介してグランドＳＧＮＤに接続されている。
【００５０】
トランジスタＱ１３４のソースは、抵抗Ｒ１３１１を介してフォトトランジスタＱ１３６（フォトトランジスタ３２）のコレクタ側にも接続されている。フォトトランジスタＱ１３６のエミッタは、トランジスタＱ１３４のゲートに接続されると共に、抵抗Ｒ１３８及びコンデンサＣ１３４を介してグランドＳＧＮＤに接続されている。抵抗Ｒ１３８及びコンデンサＣ１３４の間は、抵抗Ｒ１３０及びコンデンサＣ１３５の各々を介してグランドＳＧＮＤに接続されている。
【００５１】
また、フォトトランジスタＱ１３６のコレクタはコンデンサＣ１３６を介してグランドＳＧＮＤに接続されると共に、トランジスタユニットＱ１３７に接続されている。トランジスタユニットＱ１３７は、ベース・エミッタ間が抵抗で接続されかつベースに抵抗が直列に接続されたＰＮＰトランジスタを含んで構成され、エミッタ側が電源ＶＣに接続され、ベース側がＭＰＵ１２の端子ＡＳＴ＿ＯＮに接続されている。トランジスタユニットＱ１３７のコレクタ側は、フォトトランジスタＱ１３６のコレクタに接続されている。
【００５２】
なお、トランジスタＱ１３５が本発明の切替素子に相当し、トランジスタＱ１３２とトランジスタＱ１３３を含む構成で本発明のラッチ回路を構成し、トランジスタユニットＱ１３１は、ラッチ回路に電源を供給する供給回路に相当し、トランジスタＱ１３４が本発明の判断回路に相当する。また、コンデンサＣ１３５，Ｃ１３４が本発明の積分回路を構成し、この積分回路には抵抗Ｒ１３０，Ｒ１３８を含ませることができる。これらの抵抗は、相反則不規の解消のために適宜抵抗値を選択して用いることができる。
【００５３】
次の本実施の形態の作用を説明する。ここでは、カメラ６０の動作の流れ、及びストロボ装置１０の発光に関係する流れに従って説明する。
【００５４】
〔カメラの動作〕
まず、ストロボ装置１０のバッテリＶＴが、電源端子ＶＢ（プラス側）、及びグランド端子ＧＮＤ（マイナス側）に接続されると、電源ＶＢ１，ＶＢ２，ＶＢ３が形成され、かつ接地側としてグランドＳＧＮＤ及びグランドＰＧＮＤが形成される。これにより、ＭＰＵ１２に電源供給され、ＭＰＵ１２の制御下で、ＢＣユニット１４、マイコン周辺ユニット１６、ＬＥＤ４４，ＬＥＤ４６、メインコンデンサ３８、充電ユニット２６、モータドライバ２８、発光ユニット３０、及び測光ユニット３４に作動可能なように電源供給がなされる。
【００５５】
カメラ６０の図示しないスイッチが投入されると、メインスイッチ１８がオンして、ＭＰＵ１２の端子ＳＭがローレベル（Ｌ）になり、ＭＰＵ１２では、図６に示す処理ルーチンが実行される。まず、ステップ１００では、バッテリチェック処理が実行される。このバッテリチェック処理は、バッテリＶＴの電源容量を検査する処理であり、端子ＢＣ＿ＤＭＹをローレベル（Ｌ）に設定したときの（抵抗Ｒ１１５と抵抗Ｒ１１４による）分圧を測定し、測定結果が所定値未満のとき表示や警報等のバッテリ残量不足の処理を実行して本ルーチンを終了する。所定値以上のときはバッテリ容量が十分であるので、次の処理へ移行する。
【００５６】
ステップ１０２では、ストロボ充電処理が実行される。ストロボ充電処理は、メイン・コンデンサＣ１３３を充電する処理であり、端子ＣＨＧ＿ＯＮをローレベル（Ｌ）にすることで、充電を開始させる。詳細には、端子ＣＨＧ＿ＯＮをローレベル（Ｌ）にして、トランジスタユニットＱ１２３をオンさせ、ＦＣＴからＬ／オープンのパルスを出力することで、トランジスタＱ１２１をパルス駆動させる。これにより、トランスＴ１２１が作動し、発光管４２を発光させる電力を貯留するメイン・コンデンサＣ１３３に、トランスＴ１２１及びダイオードＤ１２１を介して電流が供給され、メイン・コンデンサＣ１３３が充電される。また、端子ＶＭＣ＿ＡＤに入力される（抵抗Ｒ１２３，Ｒ１２４，Ｒ１２６による）分圧を測定しつつ、測定結果から端子ＩＮＤ＿ＬＥＤ１〜ＩＮＤ＿ＬＥＤ３をローレベル（Ｌ）にすることでＬＥＤ４４を点灯したり点滅したりして充電状態を表示させる。また、測定結果から充電電圧に至ると、充電を終了し（端子ＣＨＧ＿ＯＮをハイレベル（Ｈ）に設定）、次の処理へ移行する。
【００５７】
次のステップ１０４では、測光処理が実行される。測光処理は、撮影時の絞り調整を促すための光量測定処理であり、Ｃｄｓ３６からの信号が入力される端子ＩＮＤ＿ＡＤの電圧を測定しつつ、測定結果から端子ＩＮＤ＿ＬＥＤ１〜ＩＮＤ＿ＬＥＤ３をローレベル（Ｌ）にすることでＬＥＤ４４を点灯したり点滅したりして測光状態を表示させる。この後に次の処理へ移行する。
【００５８】
次のステップ１０６では、ストロボタイマ充電処理が実行される。ストロボタイマ充電処理は、前回の充電終了から所定時間（例えば１５秒）を経過したときに、上記ステップ１０２と同様の充電処理を実行する。次のステップ１０８では、端子ＳＰがローレベル（Ｌ）になったか否かを判別することにより、レリーズボタン６６が押圧されてレリーズスイッチ２０がオンすることによる、撮影指示がなされたか否かが判断される。このステップ１０８で否定されると、ステップ１０４へ戻り、上記処理を繰り返す。一方、ステップ１０８で肯定されると、ステップ１１０へ進み、上記ステップ１００と同様にバッテリチェック処理が実行される。
【００５９】
次のステップ１１２では、撮影処理が実行される。撮影処理は、被写体を撮影するときの図示しないカメラシャッタ等の機構的な制御を実施する処理であり、この処理が終了すると、次のステップ１１４において、フィルム展開処理が実行される。フィルム展開処理は、撮影済みの写真フィルムのコマを搬送し、次の未撮影のコマを撮影位置に搬送する処理である。フィルム展開処理では、端子ＭＯＴＯＲを一定時間ハイレベル（Ｈ）に設定することによりモータ４０を駆動させる。
【００６０】
次に、撮影時におけるストロボ装置の発光に関係する動作を詳細に説明する。
【００６１】
〔発光準備〕
まず、メイン・コンデンサＣ１３３の充電が完了すると、発光準備として、メイン・コンデンサＣ１３３に蓄えられた充電電圧は抵抗Ｒ１３１０と抵抗Ｒ１３４にて分圧され、コンデンサＣ１３１に蓄電される。このコンデンサＣ１３１に蓄電された電圧はトランジスタＱ１３５（ＩＧＢＴ）のゲート印加電圧に用いられる。
【００６２】
ＭＰＵ１２では、図７に示す処理ルーチンが所定時間毎に実行される。カメラ６０のレリーズボタン６６が押圧されると、レリーズスイッチ２０がオンして、ステップ１２０は肯定されてステップ１２２へ進み、否定されると、本ルーチンを終了する。
【００６３】
〔発光時〕
ステップ１２２では、端子ＡＳＴ＿ＯＦＦをローレベル（Ｌ）に設定する。これにより、トランジスタＱ１３２とＱ１３３から構成されるラッチ回路は、非動作となる。次のステップ１２４では、端子ＦＴをローレベル（Ｌ）に設定する。これにより、コンデンサＣ１３１に蓄えられていた電荷はトランジスタＱ１３１を通過し、トランジスタＱ１３２のエミッタそしてベースを通過して、抵抗Ｒ１３９、抵抗Ｒ１３６を順に経た後にトランジスタＱ１３５のゲートへと至る。これにより、発光指示によるときの第１電流経路が形成される。
【００６４】
このトランジスタＱ１３５は、ゲート側にある入力容量が満たされるとオンし、コンデンサＣ１３２、トランスＴ１３１、及びトランジスタＱ１３５のトリガ電流ループ、コンデンサＣ１３３、発光管４２（ＰＵ１３１）、トランスＴ１３１、及びトランジスタＱ１３５の発光電流ループのいずれもが形成され、発光管４２へ電流が供給されて発光に至る。
【００６５】
このとき、トランジスタＱ１３２は、トランジスタＱ１３５の入力容量が満たされるまでの間はベース電流が流れてオンし、これが満たされると電流が流れずにオフする。これにより、トランジスタＱ１３５のゲートには抵抗Ｒ１３２を通じて電位が印加される状態に切り替わる。すなわち、トランジスタＱ１３２のエミッタ、ベース、抵抗Ｒ１３９を介して抵抗Ｒ１３６へ至る第１電流経路から、抵抗Ｒ１３２を介して抵抗Ｒ１３６へ至る第２電流経路へ切り替わり、発光を維持すべく、トランジスタＱ１３５のゲートへ電位が印加される。
【００６６】
発光管４２の発光が開始されると、その発光量を調整する。その発光量を調整するための調光回路は、フォトトランジスタＱ１３６及び積分回路を含んで構成される。具体的には、抵抗Ｒ１３８，１３０とコンデンサＣ１３４，１３５により構成される積分回路、トランジスタユニットＱ１３７，フォトトランジスタＱ１３６、コンデンサＣ１３６から構成されている。この調光回路は、発光ノイズが大量に発生している発光直後を回避した後（例えば１５μｓｅｃ）に、作動させる。なお、トランジスタユニットＱ１３７と、フォトトランジスタＱ１３６は、調光回路のうち光量測定部分として機能する。
【００６７】
そこで、ステップ１２６で、所定時間（例えば１５μｓｅｃ）待機した後に、次のステップ１２８において、端子ＡＳＴ＿ＯＮをローレベル（Ｌ）に設定する。これにより、トランジスタユニットＱ１３７が作動して、フォトトランジスタＱ１３６が作動可能となり、光量測定部分に電源が供給され、さらに判断回路として機能するトランジスタＱ１３４にも電源が供給されることになる。この後に、ステップ１３０では、端子ＡＳＴ＿ＯＦＦをオープンする。これにより、ラッチ回路が機能される。
【００６８】
発光管４２の発光後に十分な光量が被写体に照射されると、トランジスタＱ１３４のゲート電位が上昇してオンする。これにより、トランジスタＱ１３２がオンして、トランジスタＱ１３３がオン（ラッチ回路がオン）することにより、トランジスタＱ１３５がオフに至り、発光は停止する。また、ラッチ回路はコンデンサＣ１３１の電荷をトランジスタＱ１３１がオフするまで、放出（ディスチャージ）し、これにより、再発光を防止する。
【００６９】
なお、トランジスタＱ１３４のゲート電位が上昇してオンするための基準値は、トランジスタＱ１３４のソースに直列接続された半固定抵抗Ｒ１３３の抵抗値で決定できる。このため、発光量の調整を、この抵抗Ｒ１３３により調整することができる。
【００７０】
また、積分回路を構成している抵抗Ｒ１３８は、適宜必要に応じて使用される。すなわち、相反則不軌を解消するための写真フィルムの感材に対応する抵抗値が選択されるものである。従って、相反則不軌を考慮しない場合は不要である。
【００７１】
ここで、トランジスタＱ１３１のベース・エミッタ間抵抗ＲＡ、ベース抵抗ＲＢはトランジスタＱ１３２，トランジスタＱ１３３のいずれもが確実にオンする電位を供給できるように、ラッチ回路に用いられるトランジスタ（Ｑ１３２，Ｑ１３３）の（ベース抵抗／ベース・エミッタ間抵抗＋１）×ベース・エミッタ間電圧より、トランジスタＱ１３１の（ベース抵抗／ベース・エミッタ間抵抗＋１）×ベース・エミッタ間電圧の方が大きくなる関係としている。
【００７２】
この場合の各抵抗値の一例としては、抵抗ＲＡ：１０ｋ、ＲＢ：４．７ｋ、Ｒ１３１：３．３ｋ、Ｒ１３２：１ｋ、Ｒ１３６：３３、Ｒ１３９：３３が設定できる。
【００７３】
〔発光終了〕
発光管４２の発光終了は、上記に示した被写体に十分な照射量を与え、調光回路にて、発光停止した場合のほか、メインコンデンサＣ１３３に蓄えられていた電荷が放出され、発光管４２（ＰＵ１３１）内に発光維持電流が流れなくなった場合に発生する。そこで、ステップ１３２では、端子ＦＴをローレベル（Ｌ）から一定時間（例えば７ｍｓｅｃ）待機した後に、次のステップ１３４で、端子ＦＴをオープンする。これにより、トランジスタＱ１３５（ＩＧＢＴ）をオフさせる。そして、発光量の調整を終了させるため（調光回路を非作動とするため）、ステップ１３６で、端子ＡＳＴ＿ＯＮをオープンに設定し、次のステップ１３８において、端子ＡＳＴ＿ＯＦＦをローレベル（Ｌ）に設定する。
【００７４】
このように、本実施の形態では、被写体に照射されたストロボ光の総和に比べて出力される積分信号が所定値（基準値）以上となることを判別する判断回路をＭＯＳ型ＦＥＴで構成しているので、判断回路にコンパレータを用いるのに比べて低コストでストロボ装置を形成することができる。また、ＭＯＳ型ＦＥＴを用いることで、通常のトランジスタを用いる場合に比べて積分値の影響を極力抑制することができる。さらに、ＭＯＳ型ＦＥＴのソースを半固定抵抗を介してグランドに接続しているので、ＭＯＳ型ＦＥＴにおける判断レベルをソース電位を調整することで可変可能に構成することができる。
【００７５】
また、本実施の形態では、発光管への供給電流を制御するトランジスタＱ１３５を作動させるための構成として、トランジスタＱ１３２（エミッタ・ベース間）と抵抗Ｒ１３９を経て抵抗Ｒ１３６を介する第１電流経路と、抵抗Ｒ１３２を経て抵抗Ｒ１３６を介する第２電流経路（抵抗Ｒ１３２のバイパス）を切り替わるように形成しているので、抵抗Ｒ１３２でトランジスタＱ１３２をプルアップすることができ、バイパスコンデンサや、プルアップ抵抗を設けることなく回路を構成することができ、部品削減が可能となる。
【００７６】
さらに、本実施の形態では、コンデンサＣ１３１の電位が降下するとラッチ回路よりトランジスタＱ１３１が速くオフするように、トランジスタＱ１３１のベース−エミッタ間の抵抗値、及びベース抵抗値を選択しているので、ダイオード等の電圧降下部品を非使用で安定動作を実現することができる。
【００７７】
なお、上記の実施の形態では、カメラに内蔵したストロボ装置に本発明を適用した場合を説明したが、本発明はカメラ内蔵型に限定されるものではなく、ストロボ装置単体にも容易に適用可能である。
【００７８】
【発明の効果】
以上説明したように本発明によれば、判断回路は基準値が入力されかつ基準値と積分信号に基づきラッチ回路を制御するＭＯＳ型ＦＥＴで構成された判断回路を備えているので、コンパレータなどのＩＣを用いることなく、ＭＯＳ型ＦＥＴによる判断という単純な構成で実現することができる、という効果がある。
【図面の簡単な説明】
【図１】本発明の実施の形態にかかるストロボ装置の一例を示した回路図である。
【図２】本発明の実施の形態にかかるストロボ装置を内蔵したカメラの一例を示した斜視図である。
【図３】本発明の実施の形態にかかるストロボ装置を内蔵したカメラの一例を示した上面図である。
【図４】カメラの絞り調節部の概念構成図である。
【図５】カメラに内蔵されたストロボ装置を含む電装系の構成を示したブロック図である。
【図６】カメラの動作の流れを示したフローチャートである。
【図７】カメラ動作によるストロボ発光に関係する処理の流れを示したフローチャートである。
【図８】従来のストロボ装置の発光部分周辺を模式的に示した回路図である。
【符号の説明】
１０  ストロボ装置
１４  ＢＣユニット
１６  マイコン周辺ユニット
１８  メインスイッチ
２０  レリーズスイッチ
２６  充電ユニット
２８  モータドライバ
３０  発光ユニット
３２  フォトトランジスタ
３４  測光ユニット
３６  Ｃｄｓ
３８  メインコンデンサ
４０  給送モータ
４２  発光管
６０  カメラ
６６  レリーズボタン
６８  ストロボ発光部
【図１】
0004249896.tif 000002
【図２】
0004249896.tif 000003
【図３】
0004249896.tif 000004
【図４】
0004249896.tif 000005
【図５】
0004249896.tif 000006
【図６】
0004249896.tif 000007
【図７】
0004249896.tif 000008
【図８】
0004249896.tif 000009